(57)【特許請求の範囲】
【請求項１】
装置本体を収容する外装キャビネットを有する電子機器において、前記外装キャビネットは装飾部材を備え、かつ前記装飾部材は、明度が小さい黒色系の第１部材と、前記第１部材上に配置するとともに前記第１部材側の面に凹凸の反射面を設けた光透過性材料からなる第２部材とを有し、前記第１部材上に前記第２部材を前記反射面と前記第１部材との間に空間が形成されるように配置したことを特徴とする電子機器。
【請求項２】
前記反射面の凹凸形状は、断面が三角形状であることを特徴とする請求項１に記載の電子機器。
【請求項３】
前記三角形状の反射面の先端の角度が６０度以下であることを特徴とする請求項２に記載の電子機器。
【請求項４】
前記第１部材に第２部材を嵌め込むための嵌合溝を設けたことを特徴とする請求項１に記載の電子機器。
【請求項５】
電子機器に用いられる装飾部材において、前記装飾部材は、明度が小さい黒色系の第１部材と、前記第１部材上に配置するとともに前記第１部材側の面に凹凸の反射面を設けた光透過性材料からなる第２部材とを有し、前記第１部材上に前記第２部材を前記反射面と前記第１部材との間に空間が形成されるように配置したことを特徴とする装飾部材。
【発明の詳細な説明】
【技術分野】
【０００１】
本発明は、プラズマディスプレイパネルや液晶ディスプレイパネル等の電子機器に関する。
【背景技術】
【０００２】
近年、プラズマディスプレイパネルや液晶パネル等を表示デバイスとして用いたディスプレイ装置が一般に広く普及している。中でもプラズマディスプレイパネルは、大別してＡＣ駆動型とＤＣ駆動型があり、また面放電型と対向放電型の２種類の放電形式がある。高精細化、大画面化、及び製造の簡便性の観点から、現状では３電極構造の面放電型のプラズマディスプレイパネルが主流になっている。
【０００３】
面放電型のプラズマディスプレイパネルは、少なくとも前面側が透明な一対の基板を、基板間に放電空間が形成されるように対向配置するとともに、放電空間を複数に仕切るための隔壁を基板内に配置している。さらに、隔壁により仕切られた放電空間毎に放電が発生するように基板に電極群を配置するとともに、放電により赤色、緑色、及び青色に発光する各々の蛍光体を放電空間毎に設けて、赤色用、緑色用、及び青色用の各放電セルを規則的に配置している。そして動作時には、放電により発生する波長の短い真空紫外光によって各々の蛍光体が励起され、赤色用、緑色用、及び青色用の任意の放電セルからそれぞれ赤色、緑色、及び青色の可視光を発することによりカラー表示を行っている。
【０００４】
このようなプラズマディスプレイパネルを用いたプラズマディスプレイ装置は、液晶パネルを用いた液晶表示装置に比べて、高速の表示が可能であり、視野角が広く、大型化が容易であり、かつ自発光型であるため表示品質が高いなどの理由から、最近特に注目を集めており、主に多くの人が集まる場所における大画面の表示装置や、家庭において家族みんなで楽しむためのメインの表示装置として、各種の用途に使用されている。
【０００５】
プラズマディスプレイ装置においては、ガラスが主成分のパネルを、アルミニウムなどの金属製のシャーシ部材の前面側に保持させ、そのシャーシ部材の背面側に、パネルを発光させるための駆動回路を構成する回路基板を配置することにより、モジュールを構成している（特許文献１参照）。
【０００６】
一方、従来のディスプレイ装置において、４分割して裏面側で合わせる組み立てタイプの外装キャビネットが開示されている（特許文献２参照）。この外装キャビネットは、射出成形金型の製作費用を削減する目的で考案されたものであり、２色の射出成形品ではないが、分割された金型のそれぞれに２色の溶融樹脂を注入することによってグラデーション効果を出すことが可能である。
【先行技術文献】
【特許文献】
【０００７】
【特許文献１】特開２００５−３３１５５６号公報
【特許文献２】特開２００９−２６７５７５号公報
【発明の概要】
【発明が解決しようとする課題】
【０００８】
本発明はこのような電子機器において、デザイン性を向上させた外装キャビネットを提供することを目的とする。
【課題を解決するための手段】
【０００９】
このような目的を達成するために本発明は、装置本体を収容する外装キャビネットを有する電子機器において、前記外装キャビネットは装飾部材を備え、かつ前記装飾部材は、明度が小さい黒色系の第１部材と、前記第１部材上に配置するとともに前記第１部材側の面に凹凸の反射面を設けた光透過性材料からなる第２部材とを有し、前記第１部材上に前記第２部材を前記反射面と前記第１部材との間に空間が形成されるように配置したことを特徴とする。
【発明の効果】
【００１０】
本発明によれば、樹脂のみで形成した部材により金属調の外観を持たせることができ、高級感を醸し出すことができる。しかも、樹脂のみで形成した部材により装飾部材を構成できるため、容易に分解可能で、さらにリサイクル性に優れた装飾部材とすることが可能となる。
【図面の簡単な説明】
【００１１】
【図１】本発明の一実施の形態において、液晶表示装置の外観を示す正面図
【図２】同液晶表示装置において、スタンドを取り外した状態を示す斜視図
【図３】同液晶表示装置の全体構成の回路ブロックを示すブロック図
【図４】同液晶表示装置の回路ブロックの配置例を説明するためにバックキャビネットを取り除いて示す平面図
【図５】本発明によるフロントキャビネットの概略構成を示す平面図
【図６】図５のＡ−Ａ線で切断した断面図
【図７】図６に示す装飾部材に対し、略垂直に入射した光線の光路を示す模式図
【図８】図６に示す装飾部材に対し、斜めから入射した光線の光路を示す模式図
【図９】光線の入射と出射の関係を示した説明図
【図１０】第１部材と第２部材とを組み合わせて装飾部材を構成する場合の構造の例を示す斜視図
【図１１】第１部材と第２部材とを組み合わせて装飾部材を構成する場合の構造の例を示す斜視図
【図１２】第１部材と第２部材とを組み合わせて装飾部材を構成する場合の構造の例を示す斜視図
【発明を実施するための形態】
【００１２】
以下、本発明の一実施の形態による電子機器について、液晶表示装置を例にとって図面を参照しながら説明する。
【００１３】
図１、図２は本発明の一実施の形態において、完成品である液晶表示装置の外観を示す図、図３は同液晶表示装置の全体構成の回路ブロックを示す図、図４は同液晶表示装置の回路ブロックの配置例を説明するためにバックキャビネットを取り除いて示す図である。
【００１４】
まず、図１、図２に示すように、表示装置本体１と、この表示装置本体１を立てた状態で保持するスタンド２とを有している。表示装置本体１は、平面型表示パネルである液晶表示パネル３とバックライト装置４とからなる表示モジュールを樹脂成型品などからなる外装キャビネット５内に収容することにより構成されている。また、外装キャビネット５は、液晶表示パネル３の画像表示領域に対応するように開口部６ａを設けた枠体形状のフロントキャビネット６と、このフロントキャビネット６と組み合わせられるバックキャビネット７とから構成されている。なお、６ｂはスピーカの音を外部に放出するためのスピーカグリルである。
【００１５】
また、図３、図４に示すように、液晶表示装置全体の概略構成は、液晶表示パネル３に画像を表示する駆動回路を備えるとともに、バックライト装置４の点灯を制御する点灯制御回路を備えた信号処理回路ブロック８と、前記液晶表示パネル３、バックライト装置４および信号処理回路ブロック８に電源電圧を供給するための電源ブロック９と、テレビジョン放送を受信して前記信号処理回路ブロック８に受信信号を供給するチューナ１０と、音を出力するためのスピーカ１１とから構成され、前記信号処理回路ブロック８、電源ブロック９は、それぞれ回路基板に回路を構成する部品を搭載することにより構成されている。そして、前記信号処理回路ブロック８、電源ブロック９、チューナ１０などを搭載した回路基板は、バックライト装置４の背面とバックキャビネット７との間の空間に配置されるように取り付けられている。
【００１６】
なお、図３においては、スピーカを省略して示している。また、図４において、１２はＤＶＤプレーヤーなどの外部機器からの映像信号を液晶表示装置に入力するための外部信号入力端子で、信号処理回路ブロック８に搭載されている。
【００１７】
図５は本発明によるフロントキャビネットの概略構成を示す平面図、図６は図５のＡ−Ａ線で切断した断面図である。
【００１８】
図５、図６に示すように、フロントキャビネット６の左右の枠部には、装飾部材２１が配置されている。この装飾部材２１は、カーボンブラックなどの黒色顔料をベースポリマーに配合したＡＢＳなどの樹脂材料で形成された明度が小さい黒色系の第１部材２２と、前記第１部材２２上に配置され、アクリルやポリカーボネートなどの無色透明の光透過性の樹脂材料を射出成形または押出成形を用いて形成された第２部材２３とから構成されている。また、第２部材２３は、表面が平滑で、前記第１部材２２側の裏面には、断面が三角形のプリズム形状の凹凸２３ａを所定のピッチで等間隔で設けた反射面２３ｂを有する。さらに、前記第１部材２２と前記第２部材２３とは、前記反射面２３ｂと前記第１部材２２との間に空間２４が形成されるように配置されている。
【００１９】
図７は図６に示す装飾部材２１に対し、略垂直に入射した光線の光路を示す模式図、図８は図６に示す装飾部材２１に対し、斜めから入射した光線の光路を示す模式図である。図７、図８に示すように、装飾部材２１の無色透明の第２部材２３に対し、略垂直に入射した全波長帯域の光線２５は、反射面２３ｂに設けたプリズムで再帰反射し、反射光線２５ａとして装飾部材２１から出射することとなり、この光の反射により、シルバー調、すなわち金属調に見える外観デザインとなる。一方、装飾部材２１に対し、斜めから入射した光線２６は、反射面２３ｂに設けたプリズムで屈折して第１部材２２に吸収されることとなる。
【００２０】
また、図９は光線の入射と出射の関係を示した説明図である。２７は光線の入射する媒質、２８は光線の出射する媒質である。媒質の屈折率が媒質２７＞媒質２８の場合、媒質２７に入射した光線２９、３０、３１はそれぞれ光線２９ａ、光線３０ａ、光線３１ａに出射する。光２９の入射角は、光が全反射する最小の入射角３２（＝臨界角）より小さいため、透過する。一方、光線３０、３１は媒質２８の界面で反射する。光が光線２９のように透過した場合、媒質２８が透けて見えるが、本発明の構成のように、反射面２３ｂを有する第２部材２３の下に黒色系の第１部材２２を配置することにより、図８に示すように装飾部材２１に入射する光線２６が反射面２３ｂの臨界角を外れて透過した場合においても、その光線２６を吸収し、装飾部材２１から装置内部が見えることはない。
【００２１】
また、装飾部材２１が金属調に見える角度領域を大きくするためには、臨界角をより小さくする必要があり、臨界角の定義式より反射面２３ｂに隣接する部分には、屈折率が１．０と最も小さい空気層が望ましい。従って、装飾部材２１において、第１部材２２上に前記第２部材２３を前記反射面２３ｂと前記第１部材２２との間に空間２４が形成されるように配置することで、入射した光の多くが再帰反射し、斜めから見た場合に装飾部材２１が金属調に見える角度を大きくすることが可能となる。
【００２２】
なお、本実施の形態においては、三角形状の反射面２３ｂの先端の角度αが６０度以下となるように形成されており、斜めから見た場合に装飾部材２１が金属調に見える角度を大きくすることが可能となる。
【００２３】
図１０〜図１２は、第１部材２２と第２部材２３とを組み合わせて装飾部材２１を構成する場合の構造の例を示す斜視図である。
【００２４】
図１０に示す例においては、装飾部材２１の第１部材２２には、第２部材２３を嵌め込むための嵌合溝２２ａを設け、そして嵌合溝２２ａの底部から上面側に立ち上がる壁面の角度を９０度より小さい鋭角としたものである。一方、第２部材２３の幅方向の外側壁は、前記嵌合溝２２ａに対応する傾斜面を有する形状としている。
【００２５】
従って、第１部材２２の嵌合溝２２ａに第２部材２３を嵌め込むことで、図６に示すように、容易に、しかも意匠性を損なう粘着テープや接着剤など用いずに、両者を固定して装飾部材２１を構成することができる。
【００２６】
図１１に示す例においては、第１部材２２の嵌合溝２２ａの内壁面に凹部２２ｂを設け、一方第２部材２３の幅方向の外壁面には、凹部２２ｂに嵌り合う凸部２３ｃを設けたものである。
【００２７】
また、図１２に示す例においては、第１部材２２の嵌合溝２２ａの内壁面に凹部２２ｂを設け、一方第２部材２３の幅方向の外壁面にも凹部２３ｄを設け、これらの凹部２２ｂと凹部２３ｄとにより形成される長穴に棒状の結合部材２１ａを挿入し、第１部材２２と第２部材２３とを結合部材２１ａで結合したものである。
【００２８】
これらの図１１、図１２に示す例においても、第１部材２２と第２部材２３とを、容易に、しかも意匠性を損なう粘着テープや接着剤など用いずに、固定して装飾部材２１を構成することができる。
【００２９】
以上のように本発明は、外装キャビネット５は装飾部材２１を備え、かつ前記装飾部材２１は、明度が小さい黒色系の第１部材２２と、前記第１部材２２上に配置するとともに前記第１部材２２側の面に凹凸の反射面２３ｂを設けた光透過性材料からなる第２部材２３とを有し、前記第１部材２２上に前記第２部材２３を前記反射面２３ｂと前記第１部材２２との間に空間２４が形成されるように配置したもので、樹脂のみで形成した部材により金属調の外観を持たせることができ、高級感を醸し出すことができる。しかも、樹脂のみで形成した部材により装飾部材を構成できるため、容易に分解可能で、さらにリサイクル性に優れた装飾部材とすることが可能となる。
【産業上の利用可能性】
【００３０】
以上のように本発明は、電子機器のデザイン性を高める上で有用な発明である。
【符号の説明】
【００３１】
１  表示装置本体
５  外装キャビネット
６  フロントキャビネット
２１  装飾部材
２２  第１部材
２３  第２部材
２３ａ  凹凸
２３ｂ  反射面
２４  空間
【図１】
0005375854.tif 000002
【図２】
0005375854.tif 000003
【図３】
0005375854.tif 000004
【図４】
0005375854.tif 000005
【図５】
0005375854.tif 000006
【図６】
0005375854.tif 000007
【図７】
0005375854.tif 000008
【図８】
0005375854.tif 000009
【図９】
0005375854.tif 000010
【図１０】
0005375854.tif 000011
【図１１】
0005375854.tif 000012
【図１２】
0005375854.tif 000013